(57)【要約】【課題】漏水が生じた場合であっても、汚れや内部機器の錆及び故障の発生を防止することができる食器洗浄機を提供すること。【解決手段】食器洗浄機１は、上縁から外方に向かって延設されたフランジ部３ｄ及びシール部材１５よりも外方でフランジ部３ｄを貫く水抜き孔３ｅを有する洗浄槽３と、水抜き孔３ｅから流れ込んだ水を洗浄槽３と扉材１４との間の空間内の所定の位置に導く導流部材１７，１８，１９を備える。【選択図】図３
2016067514.tif 000002
【特許請求の範囲】
【請求項１】
洗浄する食器を出し入れするための開口部が上面に形成された洗浄槽と、前記洗浄槽の前記開口部を閉蓋する蓋体と、前記洗浄槽の前面側に取り付けられた前板と、前方に開放部が形成され、該開放部から前記洗浄槽を出し入れ自在に収容する筐体とを備えた食器洗浄機であって、
前記洗浄槽は、上縁から外方に向かって延設されたフランジ部と、前記洗浄槽と前記蓋体とのシール部よりも外方で前記フランジ部を貫く水抜き孔とを有し、
前記水抜き孔の下方に配置され、前記水抜き孔から流れ込んだ水を前記洗浄槽と前記前板又は前記筐体との間の空間内の内部機器が配置されていない位置に導く導流部材を備えていることを特徴とする食器洗浄機。
【請求項２】
前記洗浄槽が前記筐体に収納された際に前記洗浄槽が引き出されることを制限するロック機構を備え、
前記ロック機構は、前記洗浄槽に移動可能に設けられた係合部と、前記筐体に設けられた被係合部とを有し、
前記係合部は、ロック状態と非ロック状態を切り替える際に、前記水抜き孔を貫くように移動することを特徴する請求項１に記載の食器洗浄機。
【請求項３】
前記導流部材は、前記洗浄槽の外周面に立設された板状の部材であり、
前記導流部材の前後方向の幅は、前記水抜き孔に流れ込んだ水の流れにおける下流側ほど狭くなり、
前記導流部材の前側の縁は、前記水抜き孔に流れ込んだ水の流れにおける下流側ほど前記洗浄槽に近接することを特徴とする請求項１又は請求項２に記載の食器洗浄機。
【発明の詳細な説明】
【技術分野】
【０００１】
本発明は、食器を洗浄する食器洗浄機に関する。
【背景技術】
【０００２】
従来、洗浄する食器を出し入れするための開口部が上面に形成された洗浄槽と、洗浄槽の前面側に取り付けられた前板と、洗浄槽を収容する筐体と、洗浄槽が筐体に収容された際に洗浄槽の開口部を閉蓋するように筐体の内部に配置された蓋体とを備えたものが知られている
（例えば、特許文献１参照。）。
【０００３】
この種の食器洗浄機では、一般的に、洗浄槽と前板又は筐体との間に形成された空間に、食器洗浄機を作動させるための内部機器が配置されている。
【先行技術文献】
【特許文献】
【０００４】
【特許文献１】特開２００９−２０７７９７号公報
【発明の概要】
【発明が解決しようとする課題】
【０００５】
ところで、特許文献１に記載の食器洗浄機では、洗浄槽の開口部の周囲に形成したフランジ部と筐体内部に配置された蓋体との間をシール部材で封止することによって、洗浄槽内部の空間を密閉状態にして、洗浄水を洗浄槽の外部に漏出しないようにしている。
【０００６】
しかし、フランジ部と蓋体との間のシール部材が破損していた等の理由で密閉が十分になされていない場合には、フランジ部のシール部よりも外方に水が溜まり、その水がフランジ部から洗浄槽の外にあふれることで、美観を損ねるような汚れの原因になってしまうおそれがあった。また、その水が洗浄槽と前板又は筐体との間に流れ込み、内部機器の錆や故障の原因となるおそれがあった。
【０００７】
本発明は以上の点に鑑みてなされたものであり、漏水が生じた場合であっても、汚れや内部機器の錆及び故障の発生を防止することができる食器洗浄機を提供することを目的とする。
【課題を解決するための手段】
【０００８】
上記目的を達成するために、本発明の食器洗浄機は、洗浄する食器を出し入れするための開口部が上面に形成された洗浄槽と、洗浄槽の開口部を閉蓋する蓋体と、洗浄槽の前面側に取り付けられた前板と、前方に開放部が形成され、該開放部から洗浄槽を出し入れ自在に収容する筐体とを備えた食器洗浄機であって、洗浄槽は、上縁から外方に向かって延設されたフランジ部と、洗浄槽と蓋体とのシール部よりも外方でフランジ部を貫く水抜き孔とを有し、水抜き孔の下方に配置され、水抜き孔から流れ込んだ水を洗浄槽と前板又は筐体との間の空間内の内部機器が配置されていない位置に導く導流部材を備えていることを特徴とする。
【０００９】
このように、本発明の食器洗浄機では、シール部よりも外方で洗浄槽のフランジ部に水抜き孔が形成されているので、フランジ部に水が溜まってしまった場合であっても、その水は水抜き孔に流れ込む。そのため、洗浄水がフランジ部に溜まってフランジ部から洗浄槽の外にあふれることがないので、美観を損ねるような汚れが生じてしまうことがない。
【００１０】
また、水抜き孔に流れ込んだ水は、導流部材によって洗浄槽と前板又は筐体との間の空間内の内部機器が配置されていない位置に導かれるので、内部機器が水に濡れることがなく、内部機器に錆や故障が発生することがない。
【００１１】
したがって、本発明の食器洗浄機によれば、漏水が生じた場合であっても、汚れや内部機器の錆及び故障の発生を防止することができる。
【００１２】
本発明の食器洗浄機においては、洗浄槽が筐体に収納された際に洗浄槽が引き出されることを制限するロック機構を備え、ロック機構は、洗浄槽に移動可能に設けられた係合部と、筐体に設けられた被係合部とを有し、係合部は、ロック状態と非ロック状態を切り替える際に、水抜き孔を貫くように移動することが好ましい。
【００１３】
このように、水抜き孔をロック機構の一部として構成すれば、水抜き孔を独立して形成する必要がなくなるので、装置の大型化や生産コストの増加を防ぐことができる。
【００１４】
本発明の食器洗浄機においては、導流部材は、洗浄槽の外周面に立設された板状の部材であり、導流部材の前後方向の幅は、水抜き孔に流れ込んだ水の流れにおける下流側ほど狭くなり、導流部材の前側の縁は、水抜き孔に流れ込んだ水の流れにおける下流側ほど洗浄槽に近接することが好ましい。
【００１５】
洗浄水等の液体は接している物体に沿って流れるので、このように構成すれば、水抜き孔に流れ込んだ水は、導流部材の前端部の縁まで流れてきても、導流部材の縁に沿って下方に流れ、最後には洗浄槽の外周面に導かれ、その後、外周面に沿って下方へ流れることになる。その結果、水抜き孔に流れ込んだ水が飛び散ることがなくなるので、さらに確実に内部機器の錆や故障の発生を防止できるようになる。
【図面の簡単な説明】
【００１６】
【図１】本発明の実施形態の食器洗浄機の構成を模式的に示す説明図。
【図２】図１の食器洗浄機の洗浄槽の前面側上方の構成を示す斜視図。
【図３】図１の食器洗浄機の洗浄槽の前面側の構成を示す斜視図。
【図４】図１の食器洗浄機の第３導流部材の内部の構成を拡大して示す正面図。
【図５】図１の食器洗浄機の第３導流部の外観を拡大して示す正面図。
【図６】図１の食器洗浄機の水抜き孔の周辺の構成を示す断面斜視図。
【発明を実施するための形態】
【００１７】
以下、図面を参照して、本発明の実施形態に係る食器洗浄機について説明する。
【００１８】
まず、図１を参照して、食器洗浄機１の概略構成について説明する。
【００１９】
図１に示すように、食器洗浄機１は、システムキッチンに組み込んで設置されるビルトイン式のものである。食器洗浄機１の筐体２前方には開放部が形成されており、筐体２の内部に収容されている洗浄槽３は、その開放部から出し入れ自在となっている。
【００２０】
洗浄槽３の底部側には、洗浄水を噴出する洗浄ノズル４が設けられている。洗浄槽３の背面側には、洗浄槽３内の食器を乾燥させるための乾燥用空気を導入する乾燥ダクト５及び乾燥ファン６が設けられている。
【００２１】
洗浄槽３の底部には、洗浄槽３内に残菜フィルタ７を介して連通する洗浄水の溜り部８が設けられている。洗浄槽３の底部下側には、洗浄ノズル４及び溜り部８に連通する洗浄・排水ポンプ９が設置されている。洗浄・排水ポンプ９は、正転させたときに洗浄ノズル４に洗浄水を供給し、逆転させたときに洗浄槽３からの排水を行う。また、洗浄槽３の内部には、食器を支持するための食器カゴ１０が着脱自在に取り付けられている。
【００２２】
洗浄ノズル４は、食器カゴ１０より下方に設置され、水平方向に長手の下ノズル１１と、下ノズル１１の長手方向中央部に立設されたセンターノズル１２とにより構成されている。
【００２３】
下ノズル１１は、その長手方向中央部で鉛直軸線回りに旋回しつつ食器カゴ１０に向けて洗浄水を噴出する。下ノズル１１は、洗浄・排水ポンプ９から供給される洗浄水の噴出反力によって旋回するようになっている。
【００２４】
センターノズル１２は、下ノズル１１と一体に回転する下半部１２ａと、この下半部１２ａに上下動自在に挿設された上半部１２ｂとで構成されている。洗浄・排水ポンプ９から洗浄水が供給されたとき、センターノズル１２は下ノズル１１と共に旋回しつつ水圧によって上半部１２ｂが上方にのびるようになっている。そして、センターノズル１２の下半部１２ａ及び上半部１２ｂから食器カゴ１０に向けて洗浄水が噴出される。
【００２５】
洗浄槽３は、内部で食器の洗浄を行う洗浄槽本体部３ａと、前面の左右側縁から前方側に延設された一対の板状の扉材取付部３ｂとを有している。洗浄槽本体部３ａの上方部は、前方に突出した形状になっており、食器の洗浄の開始及び停止等の操作を行うための操作パネル１３が固定されている。洗浄槽３の前面側であって操作パネル１３の下側となる位置には、操作パネル１３及び扉材取付部３ｂを介して、扉材１４が固定されている。
【００２６】
次に、図２〜図５を参照して、洗浄槽３の前面側の構成について詳細に説明する。
【００２７】
図２に示すように、洗浄槽３は、洗浄する食器を出し入れするために上面に形成された開口部３ｃと、開口部３ｃの上縁から外方に向かって延設されたフランジ部３ｄと、前方側のフランジ部３ｄの中央部に、フランジ部３ｄを貫くように形成された水抜き孔３ｅとを有している。
【００２８】
本実施形態の食器洗浄機１は、このような水抜き孔３ｅを有しているので、密閉が十分になされず、フランジ部３ｄに水が溜まってしまった場合であっても、その水は水抜き孔３ｅに流れ込む。そのため、フランジ部３ｄから洗浄槽３の外に水があふれてしまうことがない。
【００２９】
開口部３ｃは、洗浄槽３が筐体２に収納された際に、洗浄槽３の上側に位置する筐体２の上板（蓋体）によって閉蓋される。このとき、洗浄槽３のフランジ部３ｄと筐体２の上板との間は、ゴムパッキン等のシール部材１５によって封止され、洗浄槽３の内部空間は密閉状態となる(図１参照)。
【００３０】
水抜き孔３ｅからは、操作パネル１３の中央部に内蔵されたロック機構１６（詳細は後述）の一部が下方側から突出する。
【００３１】
また、図３に示すように、洗浄槽３の前方側には、食器洗浄機を作動させるための内部機器Ｅ１，Ｅ２，Ｅ３と、その内部機器Ｅ１，Ｅ２，Ｅ３と水との接触を防止する第１導流部材１７、第１導流部材１７よりも下方に配置された第２導流部材１８、水抜き孔３ｅに連設された第３導流部材１９、及び、第３導流部材１９の内部に配置された第４導流部材２０（図３では不図示。図４参照。）とを有している。
【００３２】
第１導流部材１７は、洗浄槽３の外周面に立設された板状の部材であり、洗浄槽３の中央部に配置されている内部機器Ｅ２の上方で内部機器Ｅ２を覆うように配置されている。また、第１導流部材１７は、左右方向においては第２導流部材１８側（内部機器Ｅ２から離れる側）に向かって段階的に傾斜し、前後方向においては傾斜しない形状となっている。
【００３３】
第２導流部材１８は、洗浄槽３の外周面に立設された板状の部材であり、洗浄槽３の下方部に配置されている内部機器Ｅ３の上方で内部機器Ｅ３を覆うように配置されている。また、第２導流部材１８は、左右方向においては第１導流部材１７側（内部機器Ｅ３から離れる側）に向かって段階的に傾斜し、前後方向においては傾斜しない形状となっている。
【００３４】
図４に示すように、第３導流部材１９は、水抜き孔３ｅの側縁から下方に延びる一対の板状の板状部１９ａを有している。また、図５に示すように、第３導流部材１９は、一対の板状部１９ａに挟まれた空間を閉蓋するとともに、水抜き孔３ｅを正面側から覆い隠すカバー部１９ｂを有している。板状部１９ａは洗浄槽３の外周面に立設され、カバー部１９ｂは、ネジ１９ｃによって第４導流部材２０を介して洗浄槽３に固定されている。
【００３５】
図４に示すように、第４導流部材２０は、上方に形成された傘部２０ａと、傘部２０ａから下方に延びる板状の板状部２０ｂとを有している。傘部２０ａと板状部２０ｂは、いずれも洗浄槽３の外周面に立設されている。傘部２０ａは、水抜き孔３ｅの中央下方に配置され、水抜き孔３ｅに流れ込んだ水を第３導流部材１９に導くとともに、上方から洗浄槽３と扉材１４との間の空間を覆い隠している。
【００３６】
また、第１導流部材１７、第２導流部材１８、第３導流部材１９の板状部１９ａ及び第４導流部材２０の板状部２０ｂの前後方向の幅は、水抜き孔３ｅに流れ込んだ水の流れにおける下流側ほど狭くなるとともに、前側の縁は、水抜き孔３ｅに流れ込んだ水の流れにおける下流側ほど洗浄槽３に近接するように形成されている（図３又は図６参照。）。そのため、第１導流部材１７、第２導流部材１８、第３導流部材１９及び第４導流部材２０に導かれた水は、導流部材の前端部の縁まで流れてきても、その縁に沿って下方に流れ、最後には洗浄槽３の外周面に導かれ、その後、その外周面に沿って下方へ流れる。
【００３７】
本実施形態の食器洗浄機１では、水抜き孔３ｅに流れ込んだ水は、まず、第３導流部材１９又は第４導流部材２０によって、第１導流部材１７に導かれる。その後、その水は、第１導流部材１７によって第２導流部材１８に導かれる。最後に、その水は、第２導流部材１８から、内部機器Ｅ１，Ｅ２，Ｅ３等の電子機器が存在しない位置へと導かれる。
【００３８】
そのため、本実施形態の食器洗浄機１では、水抜き孔３ｅに流れ込んだ水によって、内部機器Ｅ１，Ｅ２，Ｅ３に錆や故障が発生することがない。
【００３９】
図６に示すように、操作パネル１３の中央部には、ロック機構１６が設けられている。ロック機構１６は、水抜き孔３ｅから上方に向けて突出する爪部１６ａ（係合部）と、爪部１６ａに連設された把持部１６ｂと、爪部１６ａと把持部１６ｂの中心に配置され、爪部１６ａ及び把持部１６ｂを洗浄槽３の左右方向に沿う軸を中心として回転可能とする軸部１６ｃとによって構成されている。
【００４０】
爪部１６ａは、通常状態（ロック状態。図６において実線で示した状態。）では、筐体２に固定された爪受部２１（被係合部）に係合し、洗浄槽３が筐体２に収納された際に洗浄槽３が引き出されることを制限する。
【００４１】
把持部１６ｂは、扉材１４側に延びており、食器洗浄機１の使用者が操作パネル１３の中心に形成された取手を下方から指を差し込むようにして握った際には、その把持部１６ｂも同時に把持される。把持部１６ｂが把持されると、爪部１６ａは軸部１６ｃを中心として回転して把持部１６ｂと一体的に回転し、水抜き孔３ｅから洗浄槽３と扉材１４との間の空間に収納される。その結果、ロック機構１６はロックが解除された状態（図６において破線で示した状態。）となる。
【００４２】
本実施形態の食器洗浄機１は、水抜き孔３ｅをロック機構１６の一部として構成しているので、水抜き孔３ｅを形成するために装置の大型化や生産コストの増加が生じることはない。
【００４３】
以上、図示の実施形態について説明したが、本発明はこのような形態に限られるものではない。
【００４４】
例えば、上記実施形態においては、筐体２の上板を洗浄槽３の開口部３ｃを閉蓋するための蓋体としているが、蓋体は独立した部材として設けてもよい。また、蓋体と洗浄槽とを密閉するために、必ずしもシール部材を用いなくてもよい。例えば、蓋体のみによって洗浄槽を密閉するように構成してもよい。その場合には、洗浄槽のフランジ部の蓋体が接触している部分よりも外方に、水抜き孔を形成すればよい。
【００４５】
また、上記実施形態においては、水抜き孔３ｅを、洗浄槽３の前方側のフランジ部３ｄに形成している。しかし、本発明の水抜き孔は、内部機器の配置位置等に応じて、洗浄槽の側方や後方のフランジ部に形成してもよい。
【００４６】
また、上記実施形態においては、操作パネル１３側にロック機構１６の爪部１６ａ（係合部）を設け、筐体２側にその爪部１６ａに対応する爪受部２１（被係合部）を取り付けている。しかし、操作パネル側に爪受部２１を取り付け、筐体側に爪部を設けるようにしてロック機構を構成してもよい。
【符号の説明】
【００４７】
１…食器洗浄機、２…筐体、３…洗浄槽、３ａ…洗浄槽本体部、３ｂ…扉材取付部、３ｃ…開口部、３ｄ…フランジ部、３ｅ…水抜き孔、４…洗浄ノズル、５…乾燥ダクト、６…乾燥ファン、７…残菜フィルタ、８…溜り部、９…洗浄・排水ポンプ、１０…食器カゴ、１１…下ノズル、１２…センターノズル、１２ａ…下半部、１２ｂ…上半部、１３…操作パネル、１４…扉材、１５…シール部材、１６…ロック機構、１６ａ…爪部（係合部）、１６ｂ…把持部、１６ｃ…軸部、１７…第１導流部材、１８…第２導流部材、１９…第３導流部材、１９ａ…板状部、１９ｂ…カバー部、１９ｃ…ネジ、２０…第４導流部材、２０ａ…傘部、２０ｂ…板状部、２１…爪受部（被係合部）、Ｅ１，Ｅ２，Ｅ３…内部機器。
【図１】
2016067514.tif 000003
【図２】
2016067514.tif 000004
【図３】
2016067514.tif 000005
【図４】
2016067514.tif 000006
【図５】
2016067514.tif 000007
【図６】
2016067514.tif 000008